(57)【要約】【課題】被記録媒体を搬送する粘着性ベルトの幅方向の外側へ前記被記録媒体がはみ出したことを高い精度で検出する。【解決手段】被記録媒体Ｐを支持面Ｓで支持して搬送する粘着性ベルト２と、粘着性ベルト２の幅方向Ｂの端部Ｅに設けられ、被記録媒体Ｐの粘着性ベルト２の外側にはみ出した部分Ｐ１を支持面Ｓから離れる方向へ案内する案内部９と、案内部９により案内されたはみ出した部分Ｐ１を検出するセンサー１０と、を備える。【選択図】図１
2015071234.tif 000002
【特許請求の範囲】
【請求項１】
被記録媒体を支持面で支持して搬送する粘着性ベルトと、
前記粘着性ベルトの幅方向の外側に設けられ、前記被記録媒体の、前記粘着性ベルトの外側にはみ出した部分を前記支持面から離れる方向へ案内する案内部と、
前記案内部により案内された前記はみ出した部分を検出するセンサーと、を備えることを特徴とする記録装置。
【請求項２】
請求項１に記載の記録装置において、
前記被記録媒体に記録する記録ヘッドを備え、
前記案内部及び前記センサーは、前記被記録媒体の搬送方向において前記粘着性ベルトにおける前記被記録媒体の支持開始位置と前記記録ヘッドとの間に設けられることを特徴とする記録装置。
【請求項３】
請求項１又は２に記載の記録装置において、
前記案内部は、前記支持面から前記被記録媒体の方向に向かって突出する突起部であることを特徴とする記録装置。
【請求項４】
請求項３に記載の記録装置において、
前記突起部の先端位置は、前記支持面と交差する方向における前記センサーの検出範囲内または前記センサーの検出範囲より前記支持面から離れる位置であることを特徴とする記録装置。
【請求項５】
請求項３又は４に記載の記録装置において、
前記突起部は、前記被記録媒体の搬送方向において前記支持開始位置から前記記録ヘッドに向かって前記支持面と交差する方向の幅が広くなる、楔形をしていることを特徴とする記録装置。
【請求項６】
請求項１又は２に記載の記録装置において、
前記案内部は、前記はみ出した部分に対して前記支持面と交差する方向から送風する送風部であることを特徴とする記録装置。
【請求項７】
請求項１から６のいずれか１項に記載の記録装置において、
前記案内部は、前記粘着性ベルトの幅方向の両側に設けられることを特徴とする記録装置。
【請求項８】
請求項１から７のいずれか１項に記載の記録装置において、
前記センサーは受光部を有し、前記受光部へ入射する光の有無によって、前記案内部により案内された前記はみ出した部分を検出することを特徴とする記録装置。
【発明の詳細な説明】
【技術分野】
【０００１】
本発明は、記録装置に関する。
【背景技術】
【０００２】
従来から、粘着性ベルトにより被記録媒体を支持して搬送する記録装置が使用されている。このうち、前記被記録媒体の搬送不良を検出するためのセンサーを備える記録装置が開示されている。  
例えば、特許文献１には、ジャム発生を検出可能なセンサーを備える記録装置が開示されている。
【先行技術文献】
【特許文献】
【０００３】
【特許文献１】特開２０１０−１１０９０２号公報
【発明の概要】
【発明が解決しようとする課題】
【０００４】
前記被記録媒体の搬送不良には様々な種類があり、被記録媒体を搬送する粘着性ベルトの幅方向の外側へ前記被記録媒体がはみ出すという場合がある。このような場合、ジャムを誘発するということもあるが、それ以前に、記録画像が所望の位置に形成されなくなる。このため、前記粘着性ベルトから前記被記録媒体がはみ出すことを抑制することが要求されている。  
しかしながら、特許文献１に開示される記録装置は、ジャムが発生するまでは被記録媒体の搬送不良を検出できず、ジャムが発生することなく前記粘着性ベルトから前記被記録媒体がはみ出すことを抑制する構成にはなっていない。
【０００５】
そこで、本発明の目的は、被記録媒体を搬送する粘着性ベルトの幅方向の外側へ前記被記録媒体がはみ出したことを高い精度で検出することである。
【課題を解決するための手段】
【０００６】
上記課題を解決するための本発明の第１の記録装置は、被記録媒体を支持面で支持して搬送する粘着性ベルトと、前記粘着性ベルトの幅方向の外側に設けられ、前記被記録媒体の、前記粘着性ベルトの外側にはみ出した部分を前記支持面から離れる方向へ案内する案内部と、前記案内部により案内された前記はみ出した部分を検出するセンサーと、を備えることを特徴とする。
【０００７】
ここで、「粘着性ベルト」とは、被記録媒体を支持する面に該被記録媒体を剥離可能に接着して保持する粘着剤が塗られたベルトを意味する。  
本態様によれば、前記粘着性ベルトの幅方向の外側に設けられ、前記被記録媒体の、前記粘着性ベルトの外側にはみ出した部分を前記支持面から離れる方向に案内する案内部と、前記案内部により案内された前記はみ出した部分を検出するセンサーと、を備える。このため、前記はみ出した部分を、前記案内部が案内することにより、前記センサーで高い精度で検出することができる構成になっている。したがって、被記録媒体を搬送する粘着性ベルトの幅方向の外側へ前記被記録媒体がはみ出したことを高い精度で検出することができる。
【０００８】
本発明の第２の態様の記録装置は、前記第１の態様において、前記被記録媒体に記録する記録ヘッドを備え、前記案内部及び前記センサーは、前記被記録媒体の搬送方向において前記粘着性ベルトにおける前記被記録媒体の支持開始位置と前記記録ヘッドとの間に設けられることを特徴とする。
【０００９】
本態様によれば、前記案内部及び前記センサーは、前記被記録媒体の搬送方向において前記粘着性ベルトにおける前記被記録媒体の支持開始位置と前記記録ヘッドとの間に設けられる。このため、前記記録ヘッドにおける記録領域に前記はみ出した部分が至る前に該はみ出した部分を検出できる。したがって、被記録媒体を搬送する粘着性ベルトの幅方向の外側へ前記被記録媒体がはみ出したことを、前記記録領域に前記はみ出した部分が至る前に、高い精度で検出することができる。
【００１０】
本発明の第３の態様の記録装置は、前記第１又は第２の態様において、前記案内部は、前記支持面から前記被記録媒体の方向に向かって突出する突起部であることを特徴とする。
【００１１】
本態様によれば、前記案内部は前記支持面から前記被記録媒体の方向に向かって突出する突起部であるので、簡単に前記案内部を構成することができる。
【００１２】
本発明の第４の態様の記録装置は、前記第３の態様において、前記突起部の先端位置は、前記支持面と交差する方向における前記センサーの検出範囲内または前記センサーの検出範囲より前記支持面から離れた位置であることを特徴とする。
【００１３】
本態様によれば、前記突起部の先端位置は、前記支持面と交差する方向における前記センサーの検出範囲内である。このため、前記突起部により持ち上げられた前記はみ出した部分を確実に高い精度で検出することができる。
【００１４】
本発明の第５の態様の記録装置は、前記第３又は第４の態様において、前記突起部は、前記被記録媒体の搬送方向において前記支持開始位置から前記記録ヘッドに向かって前記支持面と交差する方向の幅が広くなる、楔形をしていることを特徴とする。
【００１５】
本態様によれば、前記突起部は、前記被記録媒体の搬送方向において前記支持開始位置から前記記録ヘッドに向かって前記支持面と交差する方向の幅が広くなる、楔形をしている。このため、前記はみ出した部分は前記被記録媒体の搬送に伴い精度よく持ち上げられる。したがって、前記突起部により持ち上げられた前記はみ出した部分を高い精度で検出することができる。
【００１６】
本発明の第６の態様の記録装置は、前記第１又は第２の態様において、前記案内部は、前記はみ出した部分に対して前記支持面と交差する方向から送風する送風部であることを特徴とする。
【００１７】
本態様によれば、前記案内部は、前記はみ出した部分に対して前記支持面と交差する方向から送風する送風部である。すなわち、前記送風部は、前記はみ出した部分に前記被記録媒体における前記支持面で支持される側から送風し、その風圧により前記はみ出した部分を支持面側に持ち上げるようにして案内される。このような構成により、前記送風部により持ち上げられた前記はみ出した部分を高い精度で検出することができる。
【００１８】
本発明の第７の態様の記録装置は、前記第１から第６のいずれか１つの態様において、前記案内部は、前記粘着性ベルトの幅方向の両側に設けられることを特徴とする。
【００１９】
本態様によれば、前記案内部は、前記粘着性ベルトの幅方向の両側に設けられる。このため、前記粘着性ベルトの幅方向の何れの端部から前記被記録媒体がはみ出したとしても、該はみ出した部分を精度よく検出することができる。
【図面の簡単な説明】
【００２０】
【図１】本発明の実施例１に係る記録装置を表す概略側面図。
【図２】本発明の実施例１に係る記録装置の要部を表す概略平面図。
【図３】本発明の実施例１に係る記録装置の要部を表す概略側面図。
【図４】本発明の実施例１に係る記録装置のブロック図。
【図５】本発明の実施例２に係る記録装置の要部を表す概略平面図。
【図６】本発明の実施例３に係る記録装置の要部を表す概略側面図。
【発明を実施するための形態】
【００２１】
以下に、本発明の実施例に係る記録装置について、添付図面を参照して詳細に説明する。
【００２２】
［実施例１］（図１〜図４）  
図１は、本発明の実施例１に係る記録装置１を表す概略側面図である。  
本実施例の記録装置１は、回転方向Ｃに回転する搬送ローラー３と従動ローラー４に張架され、被記録媒体Ｐを支持面Ｓで支持して搬送方向Ａに搬送する粘着性ベルト２を備えている。  
ここで、「粘着性ベルト」とは、被記録媒体を支持する面に該被記録媒体を剥離可能に接着して保持する粘着剤が塗られたベルトを意味する。
【００２３】
また、粘着性ベルト２による被記録媒体Ｐの搬送経路には、記録ヘッド６が備えられている。記録装置１は、キャリッジ５を介して搬送方向Ａと交差する方向Ｂ（粘着性ベルト２の幅方向Ｂ）に記録ヘッド６を往復移動させながら、記録ヘッド６のインク吐出面Ｆから被記録媒体Ｐにインクを吐出させて所望の画像を形成する。  
なお、本実施例の記録装置１は、往復移動しながら記録する記録ヘッド６を備えているが、インクを吐出するノズルを搬送方向Ａと交差する交差方向に複数設けた所謂ラインヘッドを備える記録装置でもよい。  
ここで、「ラインヘッド」とは、被記録媒体Ｐの搬送方向Ａと交差する交差方向に形成されたノズルの領域が、前記被記録媒体Ｐの前記交差方向全体をカバー可能なように設けられ、記録ヘッド又は被記録媒体の一方を固定し他方を移動させて画像を形成する記録装置に用いられる記録ヘッドである。なお、ラインヘッドの前記交差方向のノズルの領域は、記録装置が対応している全ての被記録媒体Ｐの前記交差方向全体をカバー可能でなくてもよい。
【００２４】
本実施例の記録装置１では、被記録媒体Ｐは、所定の範囲内で粘着性ベルト２から剥離され、所定の位置に固定された従動ローラー７を介して、巻取部８により巻き取られる。なお、巻取部８は、被記録媒体Ｐを巻き取る際、回転方向Ｃに被記録媒体Ｐを回転させる。  
ただし、このような構成の搬送機構を有する記録装置に限定されず、例えば、被記録媒体Ｐを搬送ローラー対で挟持して搬送する構成の記録装置であってもよい。
【００２５】
なお、本実施例の記録装置１は、ロール状の被記録媒体Ｐに記録を行うことが可能な構成であるが、このような構成に限定されず、単票状の被記録媒体Ｐに記録を行うことが可能な構成であってもよい。
【００２６】
また、本実施例の記録装置１は、被記録媒体Ｐの粘着性ベルト２の端部Ｅから外側へはみ出した部分Ｐ１（図２参照）を支持面ＳからＺ方向に離れるように、案内する案内部としての突起部９と、突起部９により持ち上げられたはみ出した部分Ｐ１を検出するセンサー１０を備えている。  
ここで、センサー１０は、照射部２６（図３参照）から粘着性ベルト２の幅方向Ｂに水平に光を照射し、不図示の反射部からの反射光を入力するか否かで、突起部９により持ち上げられたはみ出した部分Ｐ１を検出する光学式センサーである。しかしながら、このようなセンサーに限定されない。  
またこのように設置されているセンサー１０は、粘着性ベルト２の支持面Ｓ上で接着不良によって浮き上がった被記録媒体Ｐを検出することも可能なようにその検出範囲（支持面からの高さ）が設定されている。
【００２７】
以下に、突起部９とセンサー１０について詳細に説明する。  
図２は本実施例の記録装置１の要部を表す概略平面図であり、図３は本実施例の記録装置１の要部を表す概略側面図である。
【００２８】
上記のように、本実施例の記録装置１は、被記録媒体Ｐを支持面Ｓで支持して搬送する粘着性ベルト２を備えている。  
また、図２で表されるように、粘着性ベルト２の幅方向Ｂの端部Ｅの外側に設けられ、被記録媒体Ｐの粘着性ベルト２の外側にはみ出した部分Ｐ１を支持面ＳからＺ方向に離れるように案内する案内部としての突起部９を備えている。また、突起部９により案内されたはみ出した部分Ｐ１を検出するセンサー１０を備えている。  
このような構成により、本実施例の記録装置１は、はみ出した部分Ｐ１を、突起部９が案内することにより、センサー１０で高い精度で検出することができる構成になっている。したがって、被記録媒体Ｐを搬送する粘着性ベルト２の幅方向Ｂの端部Ｅから外側へ被記録媒体Ｐがはみ出したことを高い精度で検出することができる構成になっている。
【００２９】
また、図１で表されるように、本実施例の記録装置１は、被記録媒体Ｐに記録する記録ヘッド６を備え、突起部９及びセンサー１０は、被記録媒体Ｐの搬送方向Ａにおいて粘着性ベルト２における被記録媒体Ｐの支持開始位置２５と記録ヘッド６との間に設けられている。  
このような構成により、本実施例の記録装置１は、記録ヘッド６における記録領域Ｒ１（記録ヘッド６が往復移動した際にインク吐出面Ｆが対向する粘着性ベルト２の部分）に、はみ出した部分Ｐ１が至る前に、該はみ出した部分Ｐ１を検出できる構成になっている。したがって、被記録媒体Ｐを搬送する粘着性ベルト２の幅方向Ｂの端部Ｅから外側へ被記録媒体Ｐがはみ出したことを、記録領域Ｒ１に、はみ出した部分Ｐ１が至る前に、高い精度で検出することができる構成になっている。
【００３０】
また、図３で表されるように、本実施例の記録装置１における案内部は、支持面Ｓから被記録媒体の方向に向かって突出する突起部９である。  
このような構成により、本実施例の記録装置１は、簡単に前記案内部を構成している。
【００３１】
また、図３で表されるように、本実施例の記録装置１における突起部９の先端位置Ｔは、支持面Ｓと交差する方向Ｚにおけるセンサー１０の検出範囲Ｒ２内またはセンサー１０の検出範囲より支持面Ｓから離れる位置である。  
なお、本実施例のセンサー１０は、上記のように、照射部２６から粘着性ベルト２の幅方向Ｂに水平に光を照射し、不図示の反射部からの反射光を入力するか否かで、突起部９により持ち上げられたはみ出した部分Ｐ１を検出する光学式センサーである。被記録媒体Ｐの粘着性ベルト２からはみ出した部分Ｐ１が突起部９により持ち上げられ、該はみ出した部分Ｐ１により前記反射光が遮られると、センサー１０は該はみ出した部分Ｐ１を検出できる。このため、突起部９により案内されたはみ出した部分Ｐがセンサー１０の検出範囲Ｒ２かこれより上方となるように突起部の先端位置Ｔを設定することにより、本実施例の記録装置１は、突起部９により案内されたはみ出した部分Ｐ１を確実に高い精度で検出することができる構成になっている。
【００３２】
また、本実施例の記録装置１における突起部９は、図１及び図３で表されるように、被記録媒体Ｐの搬送方向Ａにおいて支持開始位置２５から記録ヘッド６に向かって支持面Ｓと交差する方向Ｚの幅が広くなる、楔形をしている。  
このような構成により、はみ出した部分Ｐ１は被記録媒体Ｐの搬送に伴い、突起部９により精度よく案内される。したがって、突起部９により案内されたはみ出した部分Ｐ１を高い精度で検出することができる構成になっている。
【００３３】
次に、本実施例の記録装置１における電気的な構成について説明する。  
図４は、本実施例の記録装置１のブロック図である。  
制御部１１には、記録装置１の全体の制御を司るＣＰＵ１２が設けられている。ＣＰＵ１２は、システムバス１３を介して、ＣＰＵ１２が実行する各種制御プログラムやメンテナンスシーケンス等を格納したＲＯＭ１４と、データを一時的に格納可能なＲＡＭ１５と、接続されている。
【００３４】
また、ＣＰＵ１２は、システムバス１３を介して、記録ヘッド６を駆動するためのヘッド駆動部１６と接続されている。  
また、ＣＰＵ１２は、システムバス１３を介して、キャリッジ５を移動させるためのキャリッジモーター１８、被記録媒体Ｐを支持して搬送する粘着性ベルト２の移動機構としての駆動ローラー３の駆動源である搬送モーター１９、巻取部８の駆動源である巻取モーター２０、を駆動させるためのモーター駆動部１７と接続されている。  
さらに、ＣＰＵ１２は、システムバス１３を介して、入出力部２１と接続されており、入出力部２１は、センサー１０、記録データ等を記録装置１に入力する外部装置であるＰＣ２２、と接続されている。
【００３５】
制御部１１は、センサー１０が突起部９により持ち上げられたはみ出した部分Ｐ１を検出すると、ヘッド駆動部１６及びモーター駆動部１７を制御して、記録ヘッド６、キャリッジモーター１８、駆動ローラー３及び巻取モーター２０の駆動を停止する。こうして、記録装置１の記録動作は停止する。
【００３６】
［実施例２］（図５）  
次に、実施例２の記録装置について、添付図面を参照して詳細に説明する。  
図５は、本実施例の記録装置１の要部を表す概略平面図である。なお、上記実施例と共通する構成部材は同じ符号で示しており、詳細な説明は省略する。  
なお、本実施例の記録装置１は、案内部としての突起部９、２３が粘着性ベルト２の幅方向Ｂの両端部Ｅ、Ｅの外側に設けられる以外は実施例１の記録装置１と同様の構成である。
【００３７】
図５で表されるように、本実施例の記録装置１は、案内部としての突起部９、２３が粘着性ベルト２の幅方向Ｂの両端部Ｅ、Ｅの外側に設けられる。  
このような構成により、本実施例の記録装置１は、このため、粘着性ベルト２の幅方向Ｂの何れの端部Ｅから被記録媒体Ｐがはみ出したとしても、該はみ出した部分Ｐ１を精度よく検出することができる。
【００３８】
［実施例３］（図６）  
次に、実施例２の記録装置について、添付図面を参照して詳細に説明する。  
図６は、本実施例の記録装置１の要部を表す概略側面図である。なお、上記実施例と共通する構成部材は同じ符号で示しており、詳細な説明は省略する。  
なお、本実施例の記録装置１は、案内部として突起部９の代わりに送風部２４を備える以外は実施例１の記録装置１と同様の構成である。
【００３９】
図６で表されるように、本実施例の記録装置１は、案内部として、突起部９の代わりに、はみ出した部分Ｐ１に対して支持面Ｓと交差する方向Ｚから、すなわち方向Ｄに、送風する送風部２４を備えている。なお、送風部２４は、制御部１１に接続されており、制御部１１の制御により駆動する。  
このように、送風部２４は、はみ出した部分Ｐ１に被記録媒体Ｐにおける支持面Ｓで支持される側である下方から方向Ｄに送風し、その風圧によりはみ出した部分Ｐ１を持ち上げる構成になっている。このような構成により、本実施例の記録装置１は、送風部２４により持ち上げられたはみ出した部分Ｐ１を高い精度で検出することができる。
【符号の説明】
【００４０】
１  記録装置、２  粘着性ベルト、３  搬送ローラー、４  従動ローラー、
５  キャリッジ、６  マルチヘッド、７  従動ローラー、８  巻取部、
９  突起部（案内部）、１０  センサー、１１  制御部、１２  ＣＰＵ、
１３  システムバス、１４  ＲＯＭ、１５  ＲＡＭ、１６  ヘッド駆動部、
１７  モーター駆動部、１８  キャリッジモーター、１９  搬送モーター、
２０  巻取モーター、２１  入出力部、２２  ＰＣ、２３  突起部（案内部）、
２４  送風部、２５  被記録媒体Ｐの支持開始位置、２６  照射部、
Ｅ  粘着性ベルト２の幅方向Ｂの端部、Ｆ  インク吐出面、Ｐ  被記録媒体、
Ｐ１  被記録媒体Ｐにおける粘着性ベルト２の幅方向Ｂ端部Ｅからはみ出した部分、
Ｒ１  記録ヘッド６における記録領域、
Ｒ２  支持面Ｓと交差する方向Ｚにおけるセンサー１０の検出範囲、Ｓ  支持面、
Ｔ  突起部９の先端位置
【図１】
2015071234.tif 000003
【図２】
2015071234.tif 000004
【図３】
2015071234.tif 000005
【図４】
2015071234.tif 000006
【図５】
2015071234.tif 000007
【図６】
2015071234.tif 000008